(57)【要約】      （修正有）【課題】 不使用時には横桟の内部に折り畳まれて収納される左右１組みの縦材で横桟の安定を保ち、かつ収納時に縦材が必ず内側に折り畳まれる折り畳み式避難はしごを提供する。【解決手段】 上下に隣接する２本の横桟１の両端部同士を連結する折り畳み自在な縦材２を横桟端部付近に穿設したスリット１ａを通して横桟の内部に導き、横桟と結合ピン４によって結合することにより不使用時には縦材が横桟の内部に折り畳まれて収納され、また使用時には、伸長垂下した縦材の下側部材２ｂが、縦材と横桟の結合ピンに配設したスプリングバネの先端が延伸された端部の先端に接触して内側にわずかに押し戻される力を受け、避難はしご使用後片づける際、縦材が内側に確実・容易に折り畳まれるようにする。【選択図】 図１
2006299800.tif 000002
【特許請求の範囲】
【請求項１】
上下方向に配設された多数本の横桟と、上下に隣接する横桟の両端部同士を連結する折り畳み自在な縦材と、最上段の横桟の両端部に取り付けられた吊り下げ金具とで構成され、不使用時には縦材が折り畳まれて横桟同士がそれらの下辺面と上辺面で当接した状態となり、使用時には吊り下げ金具を窓枠やベランダの手すりなどに懸架して伸長垂下状態となる避難はしごにおいて、
前記横桟が、みぞ形断面を持つ部材であって、かつその両端部付近の上面に縦材の下部を挿通するスリットを備え、また、前記折り畳み自在な縦材が、その結合部で結合ピンにより互いに回動可能に結合された上下２つの部材からなり、上側部材は前記横桟の下面から、下側部材は前記横桟上面に設けたスリットから前記横桟の内部に導かれて前記横桟と結合ピンによって回動可能に結合されてなり、
そして前記縦材の上下２つの部材が、上側部材は両端が円弧状をした長尺板状体でなり、下側部材は両端が円弧状をした長尺板状体がその横桟への結合部付近で緩やかに曲げられた形状をなし、前記下側部材の横桟への接合部付近に緩やかな曲がりを持たせたことによって縦材を折り畳んだとき、下側部材が横桟の上面に接触することなく上部の横桟の内部に収納されて、
使用した後には前記縦材が前記横桟の内部に確実に折り畳まれて収納されるよう構成されてなることを特徴とする折り畳み式避難はしご。
【請求項２】
横桟の両端部で横桟と縦材とを回動自在に結合する結合ピンにスプリングバネが周設され、同スプリングバネの一端が前記横桟の長辺に沿って内側に直線的に延伸され、かつその先端部分が前記横桟上面の内壁に当接し、また、他端が前記横桟の外側に向けて延伸され、横桟の端部から外に突出した部分で上方に曲げられ、さらに前記縦材が伸長垂下されたとき縦材下側部材の外側面に接触し、前記縦材下側部材が横桟より外側に突出するのを防止するように折り曲げられてなることを特徴とする請求項１に記載の折り畳み式避難はしご。
【発明の詳細な説明】
【技術分野】
【０００１】
本発明は、不使用時には折り畳み状態で保管し、火災などの緊急避難時に窓枠やベランダの手すり等に懸架し、伸長垂下して使用する一般家屋や低層マンション用の折り畳み式避難はしごに関する
【背景技術】
【０００２】
上下方向に配設された多数本の横桟と、上下に隣接する横桟の両端部同士を連結する折り畳み自在な縦材と、最上段の横桟の両端部に取り付けられた吊り下げ金具とで構成され、不使用時には縦材が折り畳まれて横桟同士がそれらの下辺面と上辺面で当接した状態となり、使用時には吊り下げ金具を窓枠やベランダの手すりなどに懸架して伸長垂下状態になる折り畳み式避難はしごに関しては、従来からいくつかの改良発明、考案がなされている。
例えば特開平７−２３８６０号公報では、上下に隣接する横桟の対向する面の一方の面に横桟の長手方向に沿う凸部を形成し、他の面に前記凸部に嵌合される凹部を形成し、前記凸部と凹部とを嵌合することによって折り畳み時のコンパクト化を図ったものが、また特開平８−８６１７５号公報では、前後に配設した一対の折り畳みはしごをその横桟部分で結合されることによって前後方向の剛性を高め、建物の壁面に凹部があったり、あるいは壁面が途中からなくなっているような場所においても、避難者の体位にさほどの変動を与えることなく、安全かつ迅速に避難できるとしたものが、それぞれ公示されている。
【特許文献１】特開平７−２３８６０号公報
【特許文献２】特開平８−８６１７５号公報
【発明の開示】
【発明が解決しようとする課題】
【０００３】
従来の折り畳み式避難はしごでは、横桟としてアルミ合金製等の中空角筒状のものが使用されており、前記縦材は横桟の側面外部に取り付けざるを得ず、横桟の安定化や横桟と縦材とを結合する部材の強度等を考慮すれば、横桟の両側面に２組みの縦材を配設するか、特開平８−８６１７５号公報公示のように前後に配設した一対の折り畳みはしごをその横桟部分で結合させるかする必要があった。
また、縦材を構成する２個の部材がいずれも長尺板状体であることから、伸長垂下した避難はしごを再度折り畳んで収納する際、両部材が必ずしも内側に折り畳まれる保証はなく、両部材の結合部が外側に折り畳まれてしまうこともあり、その場合には人手により外側に折り畳まれた縦材を内側に折り畳み直して戻して収納する必要があった。
本発明は、不使用時には横桟の内部に折り畳まれて収納される１組みの縦材によって横桟の安定を保ち、かつ収納時に縦材が必ず内側に折り畳まれる折り畳み式避難はしごを提供することを課題としている。
【課題を解決するための手段】
【０００４】
本発明者は上記課題を次のような手段で解決した。
（１）上下方向に配設された多数本の横桟と、上下に隣接する横桟の両端部同士を連結する折り畳み自在な縦材と、最上段の横桟の両端部に取り付けられた吊り下げ金具とで構成され、不使用時には縦材が折り畳まれて横桟同士がそれらの下辺面と上辺面で当接した状態となり、使用時には吊り下げ金具を窓枠やベランダの手すりなどに懸架して伸長垂下状態となる避難はしごにおいて、
前記横桟が、みぞ形断面を持つ部材であって、かつその両端部付近の上面に縦材の下部を挿通するスリットを備え、また、前記折り畳み自在な縦材が、その結合部で結合ピンにより互いに回動可能に結合された上下２つの部材からなり、上側部材は前記横桟の下面から、下側部材は前記横桟上面に設けたスリットから前記横桟の内部に導かれて前記横桟と結合ピンによって回動可能に結合されてなり、
そして前記縦材の上下２つの部材が、上側部材は両端が円弧状をした長尺板状体でなり、下側部材は両端が円弧状をした長尺板状体がその横桟への結合部付近で緩やかに曲げられた形状をなし、前記下側部材の横桟への接合部付近に緩やかな曲がりを持たせたことによって縦材を折り畳んだとき、下側部材が横桟の上面に接触することなく上部の横桟の内部に収納されて、使用した後には前記縦材が前記横桟の内部に確実に折り畳まれて収納されるよう構成されてなることを特徴とする折り畳み式避難はしご。
【０００５】
（２）横桟の両端部で横桟と縦材とを回動自在に結合する結合ピンにスプリングバネが周設され、同スプリングバネの一端が前記横桟の長辺に沿って内側に直線的に延伸され、かつその先端部分が前記横桟上面の内壁に当接し、また、他端が前記横桟の外側に向けて延伸され、横桟の端部から外に突出した部分で上方に曲げられ、さらに前記縦材が伸長垂下されたとき縦材下側部材の外側面に接触し、前記縦材下側部材が横桟より外側に突出するのを防止するように折り曲げられてなることを特徴とする前記（１）に記載の折り畳み式避難はしご。
【発明の効果】
【０００６】
本発明によって下記の効果が発揮できる。
（ア）避難はしご不使用時には、折り畳み自在な縦材の下側部材が緩やかな曲がりを持つので同下側部材が横桟の上面に接触することなく横桟の内部に収納され、収納スペースが少なくてすむ。
（イ）前記（ア）の効果に加えて、縦材と横桟の結合部及び縦材の２つの部材の結合部が横桟内部に収納されるので、シンプルな外観を呈するばかりでなく、不使用時に各結合部に塵埃の付着や雨水の浸入が抑制でき、避難はしご使用時の確実な伸長垂下が期待できる。
（ウ）縦材が、横桟両端部付近に開かれたスリットを介して横桟の内側で横桟と結合されるので、１組みの縦材で横桟の安定が保て、避難時の安全性が確保されるとともに、部品数が減少できるのでコスト低減が図れる。
（エ）そして、横桟の両端部で横桟と縦材とを回動自在に結合する結合ピンに周設されたスプリングバネの端部が、被難はしごが伸張垂下された際、縦材の下側部材の外側面に接触し、該縦材の下側部材を内側に押し戻すように構成されてなるので、前記下側部材が外部に突き出るのを防止し、また使用した避難はしごを片づける際には、下側部材を内側に押し戻し、確実に横桟に収納される。
【発明を実施するための最良の形態】
【０００７】
本発明の実施の形態を実施例の図に基づいて説明する。
図１は本発明の折り畳み式避難はしごの概要を示す斜視図、図２は避難はしご不使用時に縦材が横桟内部に収納される状態の説明図、図３は縦材と横桟の結合部の側面図（ａ）及び下面図（ｂ）、図４は縦材・横桟結合ピンへの上下部材及びスプリングバネの配設状態を示す斜視図、図５は避難はしご不使用時（ａ）と使用時（ｂ）の縦材と横桟の結合状態の説明図である。
図において１は横桟、１ａはスリット、２は縦材、２ａは上側部材、２ｂは下側部材、３は吊り下げ金具、４は部材結合ピン、５は縦材・横桟結合ピン、５ａ、５ｂは縦材・横桟結合ピンの軸径を異にする部分、６はスプリングバネ、６ａはスプリングバネの２度折り曲げられて延伸された端部の先端、６ｂはスプリングバネの直線で延伸された端部の先端を示す。
【０００８】
本発明の折り畳み式避難はしごは、図１に示したように、上下方向に配設された多数本の横桟１と、上下に隣接する横桟１の両端部同士を連結する折り畳み自在な縦材２と、最上段の横桟１の両端部に取り付けられた吊り下げ金具３とで構成され、不使用時には縦材２が折り畳まれて横桟１同士がそれらの下辺面と上辺面で当接した状態となり、使用時には吊り下げ金具３を窓枠やベランダの手すりなどに懸架して伸長垂下状態になる避難はしごであって、前記横桟１がみぞ形断面を持つ部材でなり、かつ横桟両端部付近の上面に縦材２の下部を挿通するスリット１ａを備え、また前記縦材２が上下２つの部材２ａ、２ｂで構成され、２つの部材２ａ、２ｂはその端部で部材結合ピン４によって相互に回動可能に結合されているものである。また、前記縦材２の上側部材２ａは両端が円弧状をした長尺板状体でなり、下側部材２ｂは両端が円弧状をした長尺板状体がその横桟への結合部付近で緩やかな曲がりを持った構造をなし、前記縦材２が折り畳まれた際、前記縦材２が図２に示すように前記横桟１の内部に収納されるようになっている。
【０００９】
横桟と縦材の結合は、図３、図４に示すように横桟１の両端部の側面に穿設された結合ピン挿通孔と前記縦材２の部材２ａ、２ｂの端部に穿設された結合ピン挿通孔に縦材・横桟結合ピン５を挿通して行う。この際部材２ａ、２ｂは、図４に示したような軸径が３段階に変化している縦材・横桟結合ピン５の中央部５ｂにそれぞれ回動自在に結合される。なお、縦材・横桟結合ピン５の大きな軸径の部分５ａは横桟１の側壁と上側部材２ａとの間隔を一定に保持するスペーサの役割をも果たしている。
また、前記縦材・横桟結合ピン５の中央部５ｂには、図４に示すような一方の先端部が直線で延伸され、他の一端は反対側に直線で延伸された後直角に曲げられさらに前記縦材・横桟結合ピン５の軸径の太い５ａの方向に折り曲げられたスプリングバネ６が前記横桟１の側壁と前記縦材２の下側部材２ｂとの間に周設されており、図３（ｂ）に見られるように前記スプリングバネ６の直線で延伸された端部の先端６ｂは横桟１の上面内壁に接触し、２度折り曲げられて延伸された端部の先端６ａは避難はしごが伸長垂下されたとき縦材２の下側部材２ｂの外側面に接して下側部材２ｂが外側に突出するのを防止している。なお、このスプリングバネ６は横桟１の側壁と下側部材２ｂとの間隔を一定に保つスペーサの役割も果たしている。
【００１０】
図５に避難はしごの不使用時と使用時の縦材２と横桟１との結合部の状態を比較して示した。不使用時においては、図５（ａ）に示すように縦材２の上側部材２ａは取り付けられた横桟１の内部に水平に収納され、また下側部材２ｂは上方当接した横桟の内部に横桟１のスリット１ａを介して収納されており、前記スプリングバネ６の２度折り曲げられて延伸された端部の先端６ａには何ものも接触していない。
避難はしごが伸長垂下され使用状態になると、図５（ｂ）に示すように縦材２の上側部材２ａは垂下し、下側部材２ｂは上方に立ち上がる。この際、下側部材２ｂの外側面が、前記スプリングバネ６の２度折り曲げられて延伸された端部の先端６ａに接触する。なお、この時前記スプリングバネ６の先端６ａが下側部材２ｂの外側面を内側に幾分押し戻すような形態に前記スプリングバネ６を成形しておくことが好ましい。
【００１１】
避難訓練等によって使用した後に避難はしごを片づける場合、上下の横桟を当接させようとすると、従来の折り畳み式はしごではそのときの上側部材２ａと下側部材２ｂのわずかな位置関係の違いによって上側部材２ａと下側部材２ｂの結合部は外側又は内側に折り畳まれる。しかし本発明の折り畳み避難はしごでは、前記スプリングバネ６の先端６ａが下側部材２ｂの外側面を内側に押し戻すようになっているので、上側部材２ａと下側部材２ｂが外側に折り畳まれることはない。万一前記上側部材２ａと下側部材２ｂが外側に折り曲げられようとした場合には、下側部材２ｂの外側面がスプリングバネ６の先端６ａを外側に押し付けることとなり、前記スプリングバネ６の弾性が作用して下側部材２ｂを内側に押し戻そうという力が強まり、その結果縦材２は内側に折り畳まれ、前記横桟１の内部に確実に収納される。
【００１２】
なお、吊り下げ金具３は図１に示したようなカラビナ状の金具である必要はなく、既に市販・実用されている各種吊り下げ金具の中から、吊り下げ場所に最適な形状、構造の吊り下げ金具を選択使用すればよく、また吊り下げ金具３の最上段の横桟１への取り付けも従来使用されているロープや鎖などいかなる型式、いかなる素材のものであっても避難時の安全性が確保され、耐久性に優れたものであればよい。さらに、横桟１が建物の壁面に密着し、避難時に横桟１に足を掛けるのが難しくなるのを避けるため、前記横桟１の一方の側面に建物の壁面と横桟１との間に空隙を与える突出金具を備えることも好ましい。
さらにまた、避難はしごを使用する際、その急激な伸長垂下により直下にいる人物に危害を及ぼす危険を防止するためのスローダウン機構を備えることも好ましい。、
避難はしごの収納箱や、収納袋によって不使用時の防塵や防水に役立てるのもよいが、避難時に収納した避難はしごを迅速・容易に取り出せるものでなくてはならない。
なお、本発明は、避難はしごに最も適したものであるが、収納スペースが少なくてよく、全体がコンパクトにまとまり、かつ、折り畳みも容易で、さらには軽量であるので、避難はしごだけでなく、様々な用途（例えば、レジャー用や業務用など）における折り畳みはしごとして採用することができるものである。
【図面の簡単な説明】
【００１３】
【図１】本発明の折り畳み式避難はしごの概要を示す斜視図
【図２】避難はしご不使用時に縦材が横桟内部に収納される状態の説明図
【図３】縦材と横桟の結合部の側面図（ａ）及び下面図（ｂ）
【図４】縦材・横桟結合ピンへの上下部材及びスプリングバネの配設状態を示す斜視図
【図５】避難はしご不使用時（ａ）と使用時（ｂ）の縦材と横桟の結合状態の説明図
【符号の説明】
【００１４】
１：横桟
１ａ：スリット
２：縦材
２ａ：上側部材
２ｂ：下側部材
３：吊り下げ金具
４：部材結合ピン
５：縦材・横桟結合ピン
５ａ、５ｂ：縦材・横桟結合ピンの軸径を異にする部分
６：スプリングバネ
６ａ：スプリングバネの２度折り曲げられて延伸された端部の先端
６ｂ：スプリングバネの直線で延伸された端部の先端
【図１】
2006299800.tif 000003
【図２】
2006299800.tif 000004
【図３】
2006299800.tif 000005
【図４】
2006299800.tif 000006
【図５】
2006299800.tif 000007